(57)【要約】【課題】    早戻し、早送り等の特殊再生動作から通常再生動作に迅速に移行することのできるディスク再生装置を提供する。【解決手段】  ビデオデータ、該ビデオデータに関連するデータであるサブピクチャデータ、及び該サブピクチャデータの所定時間毎の表示時点を表すアドレスデータを記録した記録媒体を再生するディスク再生装置において、記録媒体に記録したビデオデータ、サブピクチャデータ、及び前記アドレスデータ読み取る読み取り手段３０と、読み取ったアドレスデータを記憶する記憶手段５２と、早戻し再生動作から通常再生動作に移行するとき、前記記憶手段に記憶したアドレスデータのうち、通常再生を開始する時点の直前の時点に位置するアドレスデータを検出するアドレスデータ検出部５３、及び検出したアドレスデータが表す時点から前記所定時間だけ遡った時点からサブピクチャデータを読み取って再生を開始する制御手段４４とを備えた。【選択図】  図１
2005244453.tif 000002
【特許請求の範囲】
【請求項１】
ビデオデータ、該ビデオデータに関連するデータであるサブピクチャデータ、及び該サブピクチャデータの所定時間毎の表示時点を表すアドレスデータを記録した記録媒体を再生するディスク再生装置において、
記録媒体に記録したビデオデータ、サブピクチャデータ、及び前記アドレスデータ読み取る読み取り手段と、
読み取ったアドレスデータを記憶する記憶手段と、
早戻し再生動作から通常再生動作に移行するとき、前記記憶手段に記憶したアドレスデータのうち、通常再生を開始する時点の直前の時点に位置するアドレスデータを検出するアドレスデータ検出部、及び検出したアドレスデータが表す時点から前記所定時間だけ遡った時点からサブピクチャデータを読み取って再生を開始する制御手段とを備えたことを特徴とするディスク再生装置。
【請求項２】
ビデオデータ、該ビデオデータに関連するデータであるサブピクチャデータ、及び該サブピクチャデータの所定時間毎の表示時点を表すアドレスデータを記録した記録媒体を再生するディスク再生装置において、
記録媒体に記録したビデオデータ、サブピクチャデータ、及び前記アドレスデータ読み取る読み取り手段と、
読み取ったアドレスデータを記憶する記憶手段と、
早送り再生動作から通常再生動作に移行するとき、前記記憶手段に記憶したアドレスデータのうち、通常再生を開始する時点から前記所定時間の２倍以上遡った時点からサブピクチャデータを読み取って再生を開始する制御手段とを備えたことを特徴とするディスク再生装置。
【請求項３】
ビデオデータ、該ビデオデータに関連するデータであるサブピクチャデータ、及び該サブピクチャデータの所定時間毎の表示時点を表すアドレスデータを記録した記録媒体を再生するディスク再生装置において、
記録媒体に記録したビデオデータ、サブピクチャデータ、及び前記アドレスデータ読み取る読み取り手段と、
読み取ったアドレスデータを記憶する記憶手段と、
早戻し再生動作から通常再生動作に移行するとき、前記記憶手段に記憶したアドレスデータのうち、通常再生を開始した時点から２つ以上前のアドレスデータが示す時点からサブピクチャデータを読み取って再生を開始する制御手段とを備えたことを特徴とするディスク再生装置。
【請求項４】
ビデオデータ、該ビデオデータに関連するデータであるサブピクチャデータ、及び該サブピクチャデータの所定時間毎の表示時点を表すアドレスデータを記録した記録媒体を再生するディスク再生装置において、
記録媒体に記録したビデオデータ、サブピクチャデータ、及び前記アドレスデータ読み取る読み取り手段と、
読み取ったアドレスデータを記憶する記憶手段と、
早戻し再生動作から通常再生動作に移行するとき、前記記憶手段に記憶したアドレスデータのうち、通常再生を開始する時点の直前の時点に位置するアドレスデータが表す時点から前記所定時間だけ遡った時点からサブピクチャデータを読み取り、
早送り再生動作から通常再生動作に移行するとき、通常再生を開始する時点から前記所定時間の２倍以上遡った時点からサブピクチャデータを読み取って再生を開始する制御手段とを備えたことを特徴とするディスク再生装置。
【発明の詳細な説明】
【技術分野】
【０００１】
本発明は、ディスク再生装置に係り、特に特殊再生動作から通常再生動作に迅速に移行することのできるディスク再生装置に関する。
【背景技術】
【０００２】
ＤＶＤ(Digital Versatile Disc）には、ビデオデータの外、字幕等の前記ビデオデータに関連するデータであるサブピクチャデータが時分割で多重化して記録している。ＤＶＤ再生装置は、この時分割多重化されたサブピクチャデータを順次蓄積してサブピクチャユニットを生成し、生成したサブピクチャユニットを用いて字幕等のサブピクチャを表示している。このため、早戻し等の特殊再生動作から通常動作に移行した場合においてサブピクチャユニットが構成されていない場合は、通常再生開始直後にはサブピクチャを表示することができず、ビデオデータのみが表示されることになる。
【０００３】
この問題に関連して、特許文献１には、ＤＶＤ再生装置による再生の途中に再生を停止した後、再度再生動作を開始する場合において、再生動作の開始時点から予め設定した時間だけ遡った時点からサブピクチャデータを読み込むことにより、再生開始時点からサブピクチャを正確に表示することのできる再生装置が示されている。
【特許文献１】特開２００２−２９０８９９号公報
【発明の開示】
【発明が解決しようとする課題】
【０００４】
しかしながら、特許文献１記載の再生装置は、通常再生動作の開始時点から予め設定した時間だけ遡った時点からサブピクチャデータを読み込む構成であるため、早戻しなどの特殊再生動作（マニュアルサーチ動作）から通常再生動作に移行する場合、通常再生の再生開始時点に係わらず、該再生開始時点からサブピクチャユニットを確実に生成することができる時間だけ遡った時点からサブピクチャデータを読み込むことが必要である。
【０００５】
例えば、１つのサブピクチャユニットを生成するのに１５秒間のサブピクチャデータを蓄積する必要がある場合、任意の再生開始時点においてサブピクチャユニットを確実に生成できるようにするためには、再生開始時点から少なくとも３０秒だけ遡った時点からサブピクチャデータを読み込むことが必要である。
【０００６】
図４は、従来のディスク再生装置の再生過程を説明する図であり、図４（ａ）はサブピクチャデータの記録アドレスとサブピクチャデータの表示タイミングを示す図、図４（ｂ）は再生途中に早戻し動作を行い、その後通常再生を再開した状態を説明する図、図４（ｃ）は再生途中に早戻し動作を行い、その後通常再生を再開した状態を説明する図である。
【０００７】
図４（ａ）に示すように、記録媒体である光ディスクには、例えば１５秒毎にサブピクチャデータ１０１〜１０５を蓄積している。図において、サブピクチャ２０１は、蓄積したサブピクチャデータ１０１から生成したサブピクチャユニットをもとに表示される。同様にサブピクチャ２０２，２０３，２０４は、それぞれ蓄積したサブピクチャデータ１０２，１０３，１０４から生成したサブピクチャユニットをもとに表示される。
【０００８】
図４（ｂ）に示すように、光ディスクを再生している途中から早戻し動作を行ない、サブピクチャ２０２を表示するべき期間の略中間時点であるＡ時点で通常再生を再開する場合、まず、再生装置はＡ時点から予め設定された一定時間（例えば３０秒）だけ遡った時点からのサブピクチャデータを読み取る。これにより、サブピクチャ２０２を表示するに必要なサブピクチャデータ１０２を蓄積することができ、通常再生を再開するＡ時点からサブピクチャ２０２を表示することができる。
【０００９】
ところが、図４（ｃ）に示すように、光ディスクを再生している途中から早戻し動作を行ない、サブピクチャ２０２を表示するべき期間の略最初の時点であるＢ時点で通常再生を再開する場合には、Ｂ時点から約１５秒だけ遡った時点からサブピクチャデータ１０２を蓄積すればサブピクチャ２０２を表示することができるのにも拘わらず、前記ディスク再生装置では、Ｂ時点から３０秒遡った時点からのサブピクチャデータを読み取ることになる。このため、早戻し動作から通常再生が再開されるまでにかかる時間が増大する。
【００１０】
また、サブピクチャが同時に再生されるビデオデータとしては、字幕付き映画あるいは洋楽のコンサートを収録し日本語歌詞を字幕として同時に再生する字幕付き音楽動画などがある。しかし、字幕付き映画と字幕付き音楽動画では、字幕が更新される間隔が異なる。例えば、字幕付き映画の字幕更新間隔は１５秒前後であるが、字幕付き音楽動画の字幕更新間隔は５秒前後である。このため、早戻し動作あるいは早送り動作を行なった後に再生開始時点からサブピクチャデータを遡って読み取る時間の設定を前述のように３０秒に固定すると、字幕付き音楽動画を再生する場合、遡ってサブピクチャデータを読み取る時間を字幕の更新間隔の２倍である１０秒程度とすることで字幕を正確に表示できるのにも拘らず、３０秒間遡った時点からのサブピクチャデータを読み取ることになる。
【００１１】
このため早戻し動作や早送り動作から通常再生が再開されるまでの時間を短縮することができない。
【００１２】
また、従来のディスク再生装置は、最新に再生したサブピクチャデータの記録位置情報をメモリに記憶しておき、再生途中において再生を停止させた後、再度再生動作に移行する場合、前記メモリに記憶した記録位置情報に基づいてサブピクチャデータを読み込むことによって再生開始時点からサブピクチャを正確に表示することが可能となる。従って、これまでに再生したサブピクチャデータの記録位置情報を全てメモリに記憶しておき、早戻し動作から通常再生動作に移行した場合、メモリに記憶したサブピクチャデータの記録位置情報の内から再生を再開する時点に対応したサブピクチャデータの記録位置情報を検出し、検出した記録位置情報に基づいてサブピクチャデータを読み込むことにより、再生を再開した時点からサブピクチャを表示することができる。
【００１３】
しかし、早送り動作を行ない、これまでに再生していなかった時点から再生を再開する場合は、メモリに再生を再開する時点に対応したサブピクチャデータの記録位置情報が記憶されていないことから、再生を再開した時点からサブピクチャを表示することはできない。
【００１４】
本発明はこれらの問題点に鑑みてなされたもので、早戻し、早送り等の特殊再生動作から通常再生動作に迅速に移行することのできるディスク再生装置を提供する。
【課題を解決するための手段】
【００１５】
本発明は上記課題を解決するため、次のような手段を採用した。
【００１６】
ビデオデータ、該ビデオデータに関連するデータであるサブピクチャデータ、及び該サブピクチャデータの所定時間毎の表示時点を表すアドレスデータを記録した記録媒体を再生するディスク再生装置において、記録媒体に記録したビデオデータ、サブピクチャデータ、及び前記アドレスデータ読み取る読み取り手段と、読み取ったアドレスデータを記憶する記憶手段と、早戻し再生動作から通常再生動作に移行するとき、前記記憶手段に記憶したアドレスデータのうち、通常再生を開始する時点の直前の時点に位置するアドレスデータを検出するアドレスデータ検出部、及び検出したアドレスデータが表す時点から前記所定時間だけ遡った時点からサブピクチャデータを読み取って再生を開始する制御手段とを備えた。
【発明の効果】
【００１７】
本発明は、以上の構成を備えるため、早戻し、早送り等の特殊再生動作から通常再生動作に迅速に移行することのできるディスク再生装置を提供することができる。
【発明を実施するための最良の形態】
【００１８】
以下、最良の実施形態を添付図面を参照しながら説明する。図１は、本実施形態にかかるディスク再生装置を説明する図である。
【００１９】
ＤＶＤｌに記録したデータを光ピックアップ３０により読み取り、読み取ったデータをアンプ３１により増幅し、イコライザ３２により波形等化処理する。次いで、ＤＶＤ復調エラー訂正部３３により復調処理及び誤り訂正処理を行い、ＭＰＥＧ（Moving Picture Experts Group）ビットストリームとしてソースデコーダ４５に入力する。
【００２０】
ソースデコーダ４５は、デマルチプレクサ（ＤＥＭＵＸ）部３４により、ビットストリームを構成する各パックに挿入されているストリームＩＤをもとにビデオデータ、オーディオデータ、サブピクチャデータに分離し、分離したデータをそれぞれビデオデコーダ３８、サブピクチャデコーダ３９、オーディオデコーダ４０に分配する。例えば、ホストマイコン４４から指定されたサブストリームＩＤを有するパックを分離して取り出してメモリ４２に書き込み、必要に応じてメモリ４２から読み出してデコード処理することによりサブピクチャデータを得ることができる。
【００２１】
ユーザは、サブピクチャデータ及びオーディオデータに含まれる最大３２言語の字幕および最大８言語の音声の中から任意の字幕（サブピクチャストリーム）および音声（音声ストリーム）を選択することができる。このとき、サブピクチャデコーダ３９およびオーディオデコーダ４０は、サブストリームＩＤを識別信号として、ユーザーが選択した一つのサブピクチャストリームおよび音声ストリームを選択して再生する。再生したサブピクチャデータ及びビデオデータは合成部４６で合成し、ＮＴＳＣ（National Television System Committee）／ＰＡＬ（Phase Alternation by Line）エンコーダ４７を介して外部に出力する。また、再生したオーディオデータはＤ／Ａ（Digital／Analog）コンバータ４８を介して外部に出力する。このように、１枚のＤＶＤに複数のサブピクチャストリームが記録されている場合、ユーザーが選択したサブピクチャストリーム以外のサブピクチャストリームは、サブストリームＩＤを検出した時点で捨てられることになる。
【００２２】
ＮＴＳＣ／ＰＡＬエンコーダ４７は、ビデオデータをＮＴＳＣ映像信号またはＰＡＬ映像信号に変換して、映像信号出力端子より出力する。また、オーディオデコーダ４０は、選択されたオーディオデータ（ＭＰＥＧオーディオ、ドルビーＡＣ−３（Audio Code number 3）（登録商標）、あるいはリニアＰＣＭ）のビットストリームのみをＤ／Ａコンバータ４８に出力し、音声信号に変換して音声信号出力端子より出力する。
【００２３】
ホストマイコン４４は操作部４９からの指示信号に基づき、ＤＶＤｌに記録されているデータを読み取るよう制御する。アドレスデータ記憶部５２は、サブピクチャデコーダ３９により生成されたサブピクチャユニットに含まれるサブピクチャの表示開始時点を表すアドレスデータを記憶する。また、アドレス間隔判別部５４は、アドレスデータ記憶部５２が記憶した連続する複数のアドレスデータにより示されるサブピクチャの表示開始時点間の間隔を判別する。
【００２４】
操作部４９は、早送りや早戻し再生等の特殊再生操作信号（マニュアルサーチ指示信号）をホストマイコン４４に出力する。ホストマイコン４４は、操作部４９からのマニュアルサーチ指示信号に基づいて、図示しない駆動制御部を介してＤＶＤに記録されているデータを再生して読み取るよう制御する。
【００２５】
アドレスデータ検出部５３は、以前に行ったマニュアルサーチ操作が早戻し操作である場合、アドレスデータ記憶部５２に記憶されているアドレスデータの中から、ホストマイコン４４が検出した再生を再開する時点の直前の時点に位置するアドレスデータを検出する。また、マニュアルサーチ操作が早送り操作である場合、再生を開始する時点に位置するアドレスデータを検出する。
【００２６】
また、ホストマイコン４４は、アドレス間隔判別部５４により判別したサブピクチャの表示開始時点間の間隔に基づいて、第１の設定時間及び第２の設定時間を設定する。第１の設定時間は、アドレス間隔判別部５４が判別したサブピクチャの表示開始時点間の間隔の値とし、第２の設定時間は第１の設定時間の２倍とする。例えば、アドレス間隔判別部５４が判別したサブピクチャの表示開始時点間の間隔が５秒である場合、第１の設定時間を５秒とし、第２の設定時間を１０秒する。一方、操作部４９による指示が早戻し操作である場合、アドレスデータ検出部５３が検出したアドレスデータが示す時点（サブピクチャ表示開始時点）から第１の設定時間だけ遡った時点から、ＤＶＤ１に記録したサブピクチャデータを読み取る。また、操作部４９による指示が早送り操作である場合、アドレスデータ検出部５３が検出した再生を開始する時点から第２の設定時間だけ遡った時点からサブピクチャデータを読み取る。
【００２７】
さらに、ホストマイコン４４は、サブピクチャデコーダ３９で読み取ったサブピクチャデータをデコード処理するよう制御する。ホストマイコン４４は、サブピクチャデコーダ３９によるサブピクチャデータの生成を判別すると、ビデオデータ、サブピクチャデータ及びオーディオデータの出力を開始する。
【００２８】
図２は、本実施形態にかかるディスク再生装置の再生過程を説明する図であり、図２（ａ）はサブピクチャデータの記録アドレスとサブピクチャデータの表示タイミングを示す図、図２（ｂ）は再生途中に早戻し操作を行い、その後通常再生を再開した状態を説明する図、図２（ｃ）は再生途中に早送り操作を行い、その後通常再生を再開した状態を説明する図である。
【００２９】
図２（ａ）に示すように、記録媒体である光ディスクには、例えば１５秒毎にサブピクチャデータ１０１〜１０５を記録している。図において、サブピクチャ２０１は、前記サブピクチャ記憶部５１に記憶したサブピクチャデータ１０１から生成したサブピクチャユニットをもとに表示する。同様にサブピクチャ２０２，２０３，２０４は、それぞれサブピクチャデータ１０２，１０３，１０４から生成したサブピクチャユニットをもとに表示する。
【００３０】
アドレス間隔判別部５４は、アドレスデータ記憶部５２に記憶したサブピクチャの表示開始時点を示すデータであるアドレス３００とアドレス３０１の間隔（１５秒）を判別する。また、サブピクチャ制御部５０は、前述のようにアドレス間隔判別部５４が判別したアドレスの間隔に基づいて、第１の設定時間、及び第２の設定時間を設定する。
【００３１】
図２（ｂ）は、光ディスクを再生している途中（Ｘ時点）で早戻し操作を行ない、サブピクチャ２０２を表示すべき時間の略中間時点となるＡ時点で通常再生動作を再開するものである。
【００３２】
アドレスデータ記憶部５２は、Ｘ時点までに再生しサブピクチャデコーダ３９により生成した各サブピクチャユニットに含まれているサビピクチャの再生開始時点を表すアドレス３００〜３０４を示すデータを記憶している。
【００３３】
ホストマイコン４４は、再生を再開する時点であるＡ時点を検出する。このとき、アドレスデータ検出部５３は、アドレスデータ記憶部５２に記憶されているアドレスデータの内からホストマイコン４４が検出したＡ時点の直前の時点となるアドレス（アドレス３０２）を表すデータを検出する。
【００３４】
次に、ホストマイコン４４は、アドレスデータ検出部５３が検出したアドレス３０２が表す時点から第１の設定時間（１５秒）だけ遡った時点からサブピクチャーデータを読み取るよう制御する。
【００３５】
このように本実施形態における光ディスク再生装置は、通常再生開始時点であるＡ時点の直前のアドレス３０２から第１の設定時間（１５秒）だけ遡った時点からのサブピクチャデータを読み取るので、サブピクチャ２０２を表示するのに必要なサブピクチャデータ１０２を速やかに蓄積することができ、通常再生を再開するＡ時点から速やかにサブピクチャ２０２を表示することができる。
【００３６】
図２（ｃ）は、光ディスクを再生している途中（Ｘ時点）で早送り操作を行ない、サブピクチャ２０４を表示すべき時間の略中間時点となるＢ時点で通常再生動作を再開するものである。
【００３７】
ホストマイコン４４は、再生を再開する時点となるＢ時点を検出する。次にホストマイコン４４は、アドレスデータ検出部５３が検出したＢ時点から第２の設定時間（３０秒）だけ遡った時点からサブピクチャデータを読み取るよう制御する。
【００３８】
このように、本実施形態における光ディスク再生装置は、早送り動作後の通常再生開始時点であるＢ時点から第２の設定時間（３０秒）だけ遡った時点からのサブピクチャデタを読み取るので、サブピクチャ２０４を表示するのに必要なサブピクチャデータ１０４を速やかに蓄積することができ、通常再生を再開するＢ時点からサブピクチャ２０４を速やかに表示することができる。
【００３９】
図３は、光ディスク再生装置の再生過程の他の例を説明する図であり、図３（ａ）はサブピクチャデータの記録アドレスとサブピクチャデータの表示タイミングを示す図、図３（ｂ）は再生途中に早戻し操作を行い、その後通常再生を再開した状態を説明する図、図３（ｃ）は再生途中に早送り操作を行い、その後通常再生を再開した状態を説明する図である。
【００４０】
図３（ａ）に示すように、記録媒体である光ディスクには、例えば５秒毎にサブピクチャデータ１０１〜１０５を記録している。図において、サブピクチャ２０１は、前記サブピクチャ記憶部５１に記憶したサブピクチャデータ１０１から生成したサブピクチャユニットをもとに表示する。同様にサブピクチャ２０２，２０３，２０４は、それぞれサブピクチャデータ１０２，１０３，１０４から生成したサブピクチャユニットをもとに表示する。
【００４１】
アドレス間隔判別部５４は、アドレスデータ記憶部５２に記憶したサブピクチャの表示開始時点を示すデータであるアドレス３００とアドレス３０１の間隔（５秒）を判別する。また、ホストマイコン４４は、アドレス間隔判別部５４が判別したアドレスの間隔に基づいて、第１の設定時間（５秒）、及び第２の設定時間（１０秒）を設定する。
【００４２】
図３に示す例では、図２に示す例における第１の設定時間（１５秒）及び第２の設定時間（３０秒）をそれぞれ５秒及び１０秒に変更している。前述のように、字幕付き映画と字幕付き音楽動画では、字幕が更新される間隔が異なる。このため、前記第１及び第２のの設定時間は字幕の更新間隔に連動して設定するのが好ましい。したがって、本実施形態では字幕付き映画の場合は、アドレス間隔判別部５４の判別結果に従って、第１及び第２の設定時間を１５秒及び３０秒前後に設定し、字幕付き音楽動画の場合は５秒及び１０秒前後に設定する。なお、図３に示す例は、第１の設定時間及び第２の設定時間それぞれ変更した点以外は図２に示す例と同様であるので詳細な説明は省略する。
【００４３】
以上の説明では、早戻し操作を行った後に通常再生を再開する場合、通常再生を再開する時点の直前の時点となるアドレスデータが示す時点からアドレス間隔判別部が判別したアドレス間隔に応じた時間だけ遡った時点からサブピクチャデータを読み取る構成とした。しかしながら、通常再生を再開する時点の２つ前のアドレスデータが示す時点からサブピクチャデータを読み取る構成としてもよい。この場合、ホストマイコン４４は通常再生を再開する時点となる時点（Ａ）を検出し、アドレスデータ検出部５３はアドレスデータ記憶部に記憶されているアドレスデータの中から時点（Ａ）の２つ前のアドレスデータを検出する。ホストマイコン４４は前記検出したアドレスデータが示す時点からサブピクチャデータを読み取るように制御する。
【００４４】
以上説明したように、本実施形態によれば、マニュアルサーチなどの特殊再生動作から通常再生動作に移行する際に、迅速にサブピクチャを表示することができる。また、サブピクチャデータの更新間隔に応じて第１及び第２の設定時間を設定する。このため、特殊再生動作から通常再生動作に移行するまでの時間を前記更新間隔に応じた値に短縮することができる。
【図面の簡単な説明】
【００４５】
【図１】本実施形態にかかるディスク再生装置を説明する図である。
【図２】ディスク再生装置の再生過程を説明する図である。
【図３】ディスク再生装置の再生過程の他の例を説明する図である。
【図４】従来のディスク再生装置の再生過程を説明する図でる。
【符号の説明】
【００４６】
１  ＤＶＤ
３０  光ピックアップ
３１  アンプ
３２  イコライザ
３３  ＤＶＤ復調エラー訂正部
３４  デマルチプレクサ
３５  ビデオバッファ
３６  サブピクチャバッファ
３７  オーディオバッファ
３８  ビデオデコーダ
３９  サブピクチャデコーダ
４０  オーディオデコーダ
４１  メモリコントローラ
４２  メモリ
４３  ホストインターフェース
４４  ホストマイコン
４５  ソースデコーダ
４６  合成部
４７  ＮＴＳＣ／ＰＡＬエンコーダ
４８  Ｄ／Ａコンバータ
４９  操作部
５２  アドレスデータ記憶部
５３  アドレスデータ検出部
５４  アドレス間隔判別部
【図１】
2005244453.tif 000003
【図２】
2005244453.tif 000004
【図３】
2005244453.tif 000005
【図４】
2005244453.tif 000006